(57)【特許請求の範囲】
【請求項１】
光源と、回転曲面形状の反射面を有する反射体とを器具本体に収めた照明器具において、
前記反射体は、
前記反射面の基端側のパーツと、
前記基端側のパーツの先端に交換可能、又は着脱可能に設けられた先端側のパーツと、を備え、
前記基端側のパーツの先端は、前記器具本体から突出しており、
前記反射体から出射される光のビーム角が、前記先端側のパーツの交換、又は着脱により可変され、
前記反射体は、回転軸が互いに平行になるように複数配置され、
複数の前記反射体は、前記基端側のパーツが連結部により一体的に連結され、
前記連結部は、前記先端側のパーツが取り付けられる取付面を有し、
前記取付面に前記先端側のパーツが差し込まれる挿入孔が形成されており、
前記先端側のパーツに形成された爪が前記挿入孔に差し込まれた状態で、前記先端側のパーツと前記基端側のパーツが結合されている
ことを特徴とする照明器具。
【請求項２】
光源と、回転曲面形状の反射面を有する反射体とを器具本体に収めた照明器具において、
前記反射体は、
前記反射面の基端側のパーツと、
前記基端側のパーツの先端に交換可能、又は着脱可能に設けられた先端側のパーツと、を備え、
前記基端側のパーツの先端は、前記器具本体から突出しており、
前記反射体から出射される光のビーム角が、前記先端側のパーツの交換、又は着脱により可変され、
前記光源は、
発光素子と、当該発光素子を実装した発光素子基板と、を備え、
前記基端側のパーツと、前記発光素子基板との間にスペーサを備え、
前記スペーサには、前記基端側のパーツの反射面に連続する面を有し、当該面の形状が、前記反射面を前記発光素子基板の側に延長したときの形状と一致している
ことを特徴とする照明器具。
【請求項３】
光源と、回転曲面形状の反射面を有する反射体とを器具本体に収めた照明器具において、
前記反射体は、
前記反射面の基端側のパーツと、
前記基端側のパーツの先端に交換可能、又は着脱可能に設けられた先端側のパーツと、を備え、
前記基端側のパーツの先端は、前記器具本体から突出しており、
前記反射体から出射される光のビーム角が、前記先端側のパーツの交換、又は着脱により可変され、
前記光源に電力を供給する電気回路を納めた電源ボックスを備え、
前記器具本体の背面には、一方向に延びる複数の放熱フィンを有し、
前記放熱フィンの一部が除かれているスペースに、前記放熱フィンとの間に隙間をあけた状態で前記電源ボックスを支持するボスが立設されている
ことを特徴とする照明器具。
【請求項４】
少なくとも１つの前記放熱フィンが前記ボスに接続されていることを特徴とする請求項３に記載の照明器具。
【発明の詳細な説明】
【技術分野】
【０００１】
本発明は、照明器具に関する。
【背景技術】
【０００２】
複数のＬＥＤを光源とした照明器具が広く知られている。また、複数のＬＥＤのそれぞれに凹面反射鏡を設けて配光制御した照明器具が知られている（例えば、特許文献１）。
【先行技術文献】
【特許文献】
【０００３】
【特許文献１】特開２０１２−９２８０号公報
【発明の概要】
【発明が解決しようとする課題】
【０００４】
しかしながら、従来の照明器具は、主たる配光が凹面反射鏡によって規定される。このため、設置箇所や照明の目的等に応じて配光を適宜に変更することは困難であった。
本発明は、上述した事情に鑑みてなされたものであり、配光を簡単に変更できる照明器具を提供することを目的とする。
【課題を解決するための手段】
【０００５】
上記目的を達成するために、本発明は、光源と、回転曲面形状の反射面を有する反射体とを器具本体に収めた照明器具において、前記反射体は、前記反射面の基端側のパーツと、前記基端側のパーツの先端に交換可能、又は着脱可能に設けられた先端側のパーツと、を備え、前記基端側のパーツの先端は、前記器具本体から突出しており、前記反射体から出射される光のビーム角が、前記先端側のパーツの交換、又は着脱により可変され、前記反射体は、回転軸が互いに平行になるように複数配置され、複数の前記反射体は、前記基端側のパーツが連結部により一体的に連結され、前記連結部は、前記先端側のパーツが取り付けられる取付面を有し、前記取付面に前記先端側のパーツが差し込まれる挿入孔が形成されており、前記先端側のパーツに形成された爪が前記挿入孔に差し込まれた状態で、前記先端側のパーツと前記基端側のパーツが結合されていることを特徴とする。
【０００７】
また本発明は、光源と、回転曲面形状の反射面を有する反射体とを器具本体に収めた照明器具において、前記反射体は、前記反射面の基端側のパーツと、前記基端側のパーツの先端に交換可能、又は着脱可能に設けられた先端側のパーツと、を備え、前記基端側のパーツの先端は、前記器具本体から突出しており、前記反射体から出射される光のビーム角が、前記先端側のパーツの交換、又は着脱により可変され、前記光源に電力を供給する電気回路を納めた電源ボックスを備え、前記器具本体の背面には、一方向に延びる複数の放熱フィンを有し、前記放熱フィンの一部が除かれているスペースに、前記放熱フィンとの間に隙間をあけた状態で前記電源ボックスを支持するボスが立設されていることを特徴とする。
【０００８】
また本発明は、光源と、回転曲面形状の反射面を有する反射体とを器具本体に収めた照明器具において、前記反射体は、前記反射面の基端側のパーツと、前記基端側のパーツの先端に交換可能、又は着脱可能に設けられた先端側のパーツと、を備え、前記基端側のパーツの先端は、前記器具本体から突出しており、前記反射体から出射される光のビーム角が、前記先端側のパーツの交換、又は着脱により可変され、前記光源に電力を供給する電気回路を納めた電源ボックスを備え、前記器具本体の背面には、一方向に延びる複数の放熱フィンを有し、前記放熱フィンの一部が除かれているスペースに、前記放熱フィンとの間に隙間をあけた状態で前記電源ボックスを支持するボスが立設されていることを特徴とする。
【００１３】
また本発明は、上記照明器具において、少なくとも１つの前記放熱フィンが前記ボスに接続されていることを特徴とする。
【発明の効果】
【００１４】
本発明によれば、反射体を反射面の基端側と先端側で分離可能にしたため、先端側を取り外して使用したり、或いは、先端側を、異なった反射特性や配光特性を有するものに付け替えたりすることで、反射体の反射面の配光パターンを任意、かつ簡単に変更可能となる。
さらに、少なくとも基端側のパーツの先端が器具本体より突出することから、反射体から先端側を取り外して使用した場合であっても、反射体の出射光が器具本体に遮蔽されることがなく器具効率が低下することがない。また、器具本体が反射体を納める深さを浅くできるから、器具本体の軽量化も図られる。
【図面の簡単な説明】
【００１５】
【図１】図１は、本発明の実施形態に係るＬＥＤ照明器具の外観構成を示す図であり、図１（Ａ）は正面図、図１（Ｂ）は側面図である。
【図２】図２は、図１（Ａ）のＡ−Ａ線断面図である。
【図３】図３は、器具本体の構成を示す図であり、図３（Ａ）は正面図、図３（Ｂ）は背面図、図３（Ｃ）は側面図、図３（Ｄ）は底面図である。
【図４】図４は、図３（Ａ）のＢ−Ｂ線断面図である。
【図５】図５は、前面カバーの構成図であり、図５（Ａ）は正面図、図５（Ｂ）は側面図、図５（Ｃ）は底面図、図５（Ｄ）は図５（Ａ）のＣ−Ｃ線断面図である。
【図６】図６は、電源ボックス本体の構成図であり、図６（Ａ）は正面図、図６（Ｂ）は上面図、図６（Ｃ）は底面図、図６（Ｄ）は左側面図、図６（Ｅ）は背面図である。
【図７】図７は、図６（Ａ）のＤ−Ｄ線断面図である。
【図８】図８は、反射体の断面図である。
【図９】図９は、基端側パーツの構成図であり、図９（Ａ）は正面図、図９（Ｂ）は上面図、図９（Ｃ）は底面図、図９（Ｄ）は左側面図である。
【図１０】図１０は、先端側パーツの構成図であり、図１０（Ａ）は正面図、図１０（Ｂ）は上面図、図１０（Ｃ）は底面図、図１０（Ｄ）は左側面図である。
【図１１】図１１は、スペーサの説明図である。
【発明を実施するための形態】
【００１６】
以下、図面を参照して本発明の実施形態について説明する。
図１は本実施形態に係るＬＥＤ照明器具１の外観構成を示す図であり、図１（Ａ）は正面図、図１（Ｂ）は側面図である。また図２は図１（Ａ）のＡ−Ａ線断面図である。
ＬＥＤ照明器具１は、主に屋外のライトアップ照明や演出照明、スポーツ照明、スタジアム照明等に用いられる投光器であり、数十メートル〜百数十メートル離れた遠方の照明に好適に構成されている。具体的には、図１、及び図２に示すように、ＬＥＤ照明器具１は、器具本体２と、前面カバー３と、電源ボックス４と、結線ボックス５と、アーム６とを備えている。
【００１７】
図３は器具本体２の構成を示す図であり、図３（Ａ）は正面図、図３（Ｂ）は背面図、図３（Ｃ）は左側面図、図３（Ｄ）は底面図である。また図４は図３（Ａ）のＢ−Ｂ線断面図である。
器具本体２は、図３、及び図４に示すように、正面が開口したトレー状を成し、高熱伝導性材であるアルミニウム合金等を材料に用いたダイカスト成型によって造られている。器具本体２には、図２に示すように、光源たる複数のＬＥＤ９と、ＬＥＤ９の配光を制御する複数の反射体１０とが納められている。
【００１８】
ＬＥＤ９には、大光量化、及び高輝度化のために、多数のＬＥＤの素子を密集配置して平面視略円形（四角形も有り得る）の面状の発光部９Ａを形成したチップオンボード（ＣＯＢ）構造の発光デバイス（いわゆる、ＣＯＢ型ＬＥＤ）が用いられている。ＬＥＤ９は、電気的絶縁性、及び熱伝導性に優れたセラミック基板１１に実装され、上記器具本体２の底面２Ａに載置されている。これにより、ＬＥＤ９と器具本体２の電気的絶縁をセラミック基板１１によって維持しつつ、ＬＥＤ９の発熱を器具本体２にセラミック基板１１を通じてスムーズに伝達し放熱できる。なお、ＬＥＤ９は、必ずしもＣＯＢ型のＬＥＤに限定されるものではない。またＬＥＤ９の実装基板は、セラミック基板１１に限定されるものではない。
【００１９】
反射体１０は、図２に示すように、ＬＥＤ９に対応した反射面１２を有する。この反射面１２は回転曲面形状の一態様たる回転放物面に形成されており、反射面１２の基端部１２Ａに底部開口１２Ａ１が形成され、この底部開口１２Ａ１を臨む位置に上記ＬＥＤ９が配置されている。ＬＥＤ９の光軸と反射面１２の回転軸（中心軸Ｏ（図８））は同軸に配置されており、反射面１２でＬＥＤ９の光が先端部１２Ｂから平行光化されて出射される。この反射体１０は樹脂材から形成され、金属材を母材として形成した場合に比べて軽量化が図られている。反射面１２には金属コーティング等の鏡面加工を施すことで、高い反射率が得られている。
【００２０】
このＬＥＤ照明器具１では、複数組のＬＥＤ９及び反射面１２を備え、それぞれの反射面１２が中心軸Ｏを互い平行にして配置されている。より具体的には、それぞれの反射面１２は、図１に示すように、正面視において最密配置されている。これにより、反射面１２のそれぞれの出射光が分離することなく、大きな光束断面（いわゆるスポット径）の平行光が照射光として得られる。また、高輝度型のＬＥＤが光源たるＬＥＤ９に用いられていることから、数十メートル〜百数十メートル離れた遠方の対象物を高照度で照らすことができる。また、このＬＥＤ照明器具１では、図１に示すように、器具本体２の上部に照準器１４が設けられており、照射光の照射方向を遠方の対象物に合わせ易くなっている。
【００２１】
器具本体２の底面２Ａには、図３（Ａ）に示すように、ＬＥＤ９のセラミック基板１１を位置決めする係合片３１が設けられ、また係合片３１に対応して、反射体１０をネジ止め固定するネジ止め部３２が設けられている。これら係合片３１、及びネジ止め部３２により、セラミック基板１１と反射体１０が相対的に位置決めされ、ＬＥＤ９が反射面１２の基端部１２Ａに正確に配置される。
【００２２】
なお、反射面１２を、回転放物面に代えて回転楕円面とし、遠方で集光する光を出射する構成としても良く、また、回転双曲線面等の他の回転曲面形状としても良い。また異なる回転曲面形状の反射面１２を組み合わせて用いても良い。例えば、複数の反射面１２の幾つかを回転放物面とし、他を回転楕円面として平行光、及び集光光を排他的又は同時に照射する構成としても良い。
【００２３】
図５は前面カバー３の構成図であり、図５（Ａ）は正面図、図５（Ｂ）は左側面図、図５（Ｃ）は底面図、図５（Ｄ）は図５（Ａ）のＣ−Ｃ線断面図である。
前面カバー３は、器具本体２の正面を覆う透明樹脂製のカバー部材であり、図５に示すように、器具本体２の正面開口７と略同じ寸法形状の平面部３Ａを有したトレー状を成し、縁部にはフランジ３７が形成されている。図３に示すように、器具本体２の正面開口７の縁部にもフランジ８が一体に設けられており、このフランジ８に前面カバー３のフランジ３７をネジ止めして固定される。
【００２４】
ＬＥＤ照明器具１では、正面開口７に複数の反射面１２並設していることから、反射面１２の数に比例して正面開口７の開口面積、及び前面カバー３の平面部３Ａの面積も大きくなる。しかしながら、平面部３Ａが広くなるほど面内に歪みが生じ易く、面内中央部が器具本体２の側に凹む歪みが発生することがある。平面部３Ａに係る凹みが存在するすると、この凹み部分を覆う蜘蛛の巣が作られやすくなり、清掃のメンテナンスが頻繁に必要になるなどの問題が生じる。
そこで、このＬＥＤ照明器具１では、図５（Ａ）に示すように、前面カバー３の平面部３Ａに、少なくとも中央部Ｘを含む領域を僅かに膨出させて膨出部３Ａ１が形成されている。この膨出部３Ａ１により平面部３Ａの凹みが抑えられることから蜘蛛の巣が作られにくくなる。
【００２５】
電源ボックス４は、ＬＥＤ９の電源回路２１（図２）を納める容器であり、高熱伝導性材であるアルミニウム合金等から形成されており、図１（Ｂ）に示すように、電源ボックス本体２２と、正面の開口を塞ぐ蓋体２３とを備え、この蓋体２３に結線ボックス５が固定されている。結線ボックス５は、商用電源等の外部電源の配線を接続する端子台１９を納めた箱体である。結線ボックス５と蓋体２３には貫通孔（図示せず）が設けられており、この貫通孔を通じて電源回路２１の配線が結線ボックス５に引き込まれ端子台１９に接続されて、電源回路２１が外部電源に結線される。電源回路２１は、外部電源の電力をＬＥＤ９の駆動に必要な直流電力に変換する電力変換回路である。なお、電源ボックス４には、電源回路２１の他にも必要に応じて各種の電気回路が納められる。
【００２６】
図６は電源ボックス本体２２の構成図であり、図６（Ａ）は正面図、図６（Ｂ）は上面図、図６（Ｃ）は底面図、図６（Ｄ）は左側面図、図６（Ｅ）は背面図である。また図７は図６（Ａ）のＤ−Ｄ線断面図である。
電源ボックス本体２２は、正面が開口した直方体形状のケース体であり、左右の側面には、多数の放熱フィン２０が形成されて内部の放熱性が高められている。蓋体２３は、電源ボックス本体２２の正面開口２５を覆ってネジ止め固定される略矩形板状体であり、上述の通り、その表側に結線ボックス５が固定される。
【００２７】
電源ボックス本体２２の底面２６には複数の配線孔２７が開口し、これら配線孔２７を通じて電源回路２１の配線が器具本体２の側に引き出される。また、底面２６の四隅には、電源ボックス本体２２を器具本体２の背面にネジ止めするためのネジ孔２８が設けられており、これらのネジ孔２８に対応してボス２９Ａが底面２６の表側に立設されている。これらのボス２９Ａは中心軸に沿ってネジ孔が設けられた所定高さの円柱状を成し、これらによって器具本体２の背面との間に隙間を設けて電源ボックス本体２２がネジ止め固定される。また、配線孔２７のそれぞれにも、所定高さの円筒状のボス２９Ｂが設けられており、電源回路２１の配線がボス２９Ｂを通して器具本体２に導入されている。
このように電源ボックス本体２２が器具本体２との間に隙間を設けて取り付けられることで、電源ボックス本体２２と器具本体２の間の熱の流通が遮断される。これに加え、この電源ボックス４では、図２に示すように、電源回路２１を蓋体２３の裏面２３Ａに取付けており、電源回路２１の発熱が器具本体２に及ぼす影響をより確実に抑えることとしている。
【００２８】
また、器具本体２の背面、及び電源ボックス本体２２に立設させた配線孔２７用のボス１５Ａ、１５Ｂと、ネジ孔２８を有するボス２９Ａ、２９Ｂとの間で高さに差を設け、ボス１５Ａ、１５Ｂの高さよりもネジ孔２８用のボス２９Ａ、２９Ｂの高さを若干低く形成し、配線孔２７用のボスの当接時にネジ孔２８を有するボスの当接面に隙間を設ける構成とし、ネジ孔２８にボルトを装着して固定することで、配線孔２７用のボス１５Ａ、1１５Ｂの当接をより確実にできる。
更に、ボス１５Ａ、１５Ｂとボス２９Ａ、２９Ｂの間にリング状のパッキン（本実施例ではＯリング（図示せず））を介在させているため、ボス２９Ａ、２９Ｂのネジ孔２８にボルトを装着して固定したときに、器具本体２と電源ボックス本体２２との間の配線孔２７の防水性が高められる構成となっている。
【００２９】
アーム６は、器具本体２を設置面に取付固定するための固定金具であり、図１、及び図２に示すように、器具本体２の左右両側に挟持するように回動自在に取り付けられている。アーム６の回転軸にはナット１７が設けられており、このナット１７の締め付けによって器具本体２の回動が規制される。また、アーム６には、器具本体２の回動操作に供されるレバー１８が設けられている。
【００３０】
このＬＥＤ照明器具１では、器具本体２の正面側に反射体１０が突出することから、何ら対策を施さなければ、重心が正面側に偏る。そこで、図１（Ｂ）に示すように、器具本体２の厚さＴａに対し、電源ボックス４の厚さＴｂを同程度以上（本実施形態ではＴｂ＞Ｔａ）に形成することで、ＬＥＤ照明器具１の正面側への重心の偏りを抑制することとしている。これに加え、上述の通り、電源ボックス４を器具本体２から離間して配置し、また電源回路２１、及び結線ボックス５を電源ボックス４の蓋体２３の側に設けているため、重心の偏りが更に効果的に抑えられている。
すなわち、このＬＥＤ照明器具１では、器具本体２をアーム６で回動自在に支持したときの前後方向（正面と背面を結ぶ方向）の重量バランスが良好となり設置の安定性が向上する。
【００３１】
上述の通り、このＬＥＤ照明器具１では、高出力型の発光素子の一例であるＣＯＢ型ＬＥＤをＬＥＤ９に用いる。このため、ＬＥＤ９を実装したセラミック基板１１を高熱伝導性材から成る器具本体２に直接的に取り付け、ＬＥＤ９の発熱を器具本体２に伝達させることで、ＬＥＤ９の温度が所定の動作温度を超えないようになっている。
更に、この器具本体２の背面に、図３に示すように、多数の放熱フィン１３が一体に形成されており、器具本体２の放熱性が高められている。それぞれの放熱フィン１３は、器具本体２の上面から底面まで延びた薄板状に形成されており、左右の幅方向に一定間隔で配列されている。なお、上述した器具本体２の厚さＴａは、図３（Ｄ）に示すように、器具本体２の容器の深さＴｃと放熱フィン１３の高さＴｄを含む値である。
【００３２】
また、器具本体２の背面には、ボス１５Ａ、１５Ｂが一体に立設されている。ボス１５Ａは電源ボックス４のボス２９Ａとの間でネジ止めされる部材であり、ボス１５Ｂはボス２９Ｂに接続されて配線を通す通し孔３８が貫通した円筒状部材である。これらのボス１５Ａ、１５Ｂは、図３（Ｂ）に示すように、複数の放熱フィン１３の一部を切り欠いた立設スペース１６に設けられる。ただし、図３（Ｂ）に示すように、それぞれのボス１５Ａ、１５Ｂの周面には、いずれかの放熱フィン１３が接続された接続部１３Ａが設けられ、これにより、ボス１５Ａ、１５Ｂでの熱溜まりが防止されている。なお、これら放熱フィン１３、ボス１５Ａ、１５Ｂは器具本体２のダイカスト成型により一体成形されている。
【００３３】
ところで、このＬＥＤ照明器具１は、上述の通り、配光を制御するための反射体１０を備え、この反射体１０による配光を簡単に変更可能に構成されている。
すなわち、この反射体１０は、図２に示すように、反射面１２の底部側である基端部１２Ａから先端部１２Ｂの間で基端側パーツ４０Ｐａ、及び先端側パーツ４０Ｐｂに分離可能に構成されている。この構成により、基端側パーツ４０Ｐａから先端側パーツ４０Ｐｂを取り外して使用したり、或いは、異なった反射特性や配光特性を有する先端側パーツ４０Ｐｂに変えて使用したりすることで、これら基端側パーツ４０Ｐａ、及び先端側パーツ４０Ｐｂの組み合わせから成る反射面１２の配光パターンを任意に簡単に変更可能となっている。また、反射面１２と前面カバー３の光学特性との組み合わせによっても、配光が変更可能に成されている。
【００３４】
このＬＥＤ照明器具１では、反射体１０は、反射面１２を鏡面処理した基端側パーツ４０Ｐａのみを使用した場合、１／１０ビーム角が６２°の中角配光が得られるように構成されている（構成１）。また反射体１０は、この構成１に加え、前面カバー３として光拡散効果を付与した型押カバーを併用することで、１／１０ビーム角が６３°の中広角配光が得られるように構成されている（構成２）。反射体１０は、この構成２において、基端側パーツ４０Ｐａの反射面の処理を鏡面処理に代えて白色塗装（すなわち光拡散処理）とすることで、１／１０ビーム角が８７°の広角配光が得られるように構成されている（構成３）。また、反射体１０は、上記構成１に加え、反射面１２を鏡面処理した先端側パーツ４０Ｐｂを基端側パーツ４０Ｐａに取り付けることで、１／１０ビーム角が３８°の狭角配光が得られるように構成されている（構成４）。この構成４において、構成２と同様に、前面カバー３として光拡散効果を付与した型押カバーを併用することで、１／１０ビーム角が４０°の狭中角配光が得られるように構成されている（構成５）。
【００３５】
ここで、反射体１０の先端部１２Ｂを器具本体２から突出させずに、当該器具本体２の中に配置する構成とした場合、反射面１２の先端部１２Ｂから出射した光が器具本体２の側面に入射する等して遮蔽される虞がある。特に、基端側パーツ４０Ｐａから先端側パーツ４０Ｐｂを分離し、基端側パーツ４０Ｐａのみを反射体１０として用いた場合には、正面開口７から奥まった位置に基端側パーツ４０Ｐａが配置される虞があり、多くの光が遮蔽され、器具効率が低下する。
【００３６】
そこで、このＬＥＤ照明器具１では、少なくとも基端側パーツ４０Ｐａを器具本体２の正面開口７より突出させた構成、すなわち図２に示すように、器具本体２の深さＴｃを基端側パーツ４０Ｐａの高さＴｅよりも浅くした構成としている。
これにより、反射体１０から先端側パーツ４０Ｐｂを取り外して使用した場合であっても、基端側パーツ４０Ｐａの先端が器具本体２より突出することから、器具本体２に遮蔽されることなく反射体１０から出射させることができ、器具効率の低下が防止される。また、器具本体２の深さＴｃが浅くなることで軽量化も図られる。
【００３７】
図８は反射体１０の断面図である。図９は基端側パーツ４０Ｐａの構成図であり、図９（Ａ）は正面図、図９（Ｂ）は上面図、図９（Ｃ）は底面図、図９（Ｄ）は左側面図である。図１０は先端側パーツ４０Ｐｂの構成図であり、図１０（Ａ）は正面図、図１０（Ｂ）は上面図、図１０（Ｃ）は底面図、図１０（Ｄ）は左側面図である。
反射体１０は、図８に示すように、複数の反射面１２を一体に有し、各反射面１２が中心軸Ｏを平行に横並びに配置されている。そして反射体１０は、各反射面１２を基端側、及び先端側で分離するように、基端側パーツ４０Ｐａ、及び先端側パーツ４０Ｐｂを備えている。この反射体１０では、基端側パーツ４０Ｐａと先端側パーツ４０Ｐｂの着脱を容易とするために、両者の固定には差し込み固定構造が用いられている。
【００３８】
詳述すると、基端側パーツ４０Ｐａは、図８、及び図９（Ａ）に示すように、複数の反射面１２のうち隣接するもの同士を連結する連結部４１を有する。この連結部４１には、図８、及び図９（Ｂ）に示すように、先端側パーツ４０Ｐｂの当接面内に挿入穴部４２が形成されている。一方、先端側パーツ４０Ｐｂも基端側パーツ４０Ｐａと同様に、図８、及び図１０（Ａ）に示すように、反射面１２同士を連結する連結部４３を有し、この連結部４３の基端側パーツ４０Ｐａの当接面内に挿入穴部４２に対応して爪部４４が設けられている。これら爪部４４、及び挿入穴部４２が基端側パーツ４０Ｐａと先端側パーツ４０Ｐｂを結合する結合部を構成し、爪部４４が挿入穴部４２に挿入され係止することで、基端側パーツ４０Ｐａに先端側パーツ４０Ｐｂが結合される。さらに、この反射体１０では、先端側パーツ４０Ｐｂの両端側には、基端側パーツ４０Ｐａの両端側の凸部４５に引っ掛かる引掛爪４６が設けられており、両者の結合がより強固に成されている。
爪部４４、及び挿入穴部４２による差し込み結合構造により、基端側パーツ４０Ｐａに対し先端側パーツ４０Ｐｂを簡単に抜き差しして取り外しや交換等が容易になる。
【００３９】
このＬＥＤ照明器具１では、上述の通り、器具本体２の内部に、複数の上記反射体１０を互いの反射面１２同士が接するように、すなわち、複数の反射面１２が正面視で最密配置されるように配列されている。
それぞれの反射体１０は、基端側パーツ４０Ｐａの基端部１２Ａに、図９に示すように、ネジ止め片４７が一体に設けられており、このネジ止め片４７を、器具本体２のネジ止め部３２にネジ止めして固定される。器具本体２への固定後には、ＬＥＤ９の直上に各反射面１２の底部開口１２Ａ１が配置されるが、ＬＥＤ９と底部開口１２Ａ１の間に隙間が存在すると、この隙間からＬＥＤ９の光が漏れてしまい効率低下を招く。
【００４０】
そこで、このＬＥＤ照明器具１では、図１１に示すように、基端側パーツ４０Ｐａの基端部１２Ａとセラミック基板１１によって挟み込まれ、ＬＥＤ９と底部開口１２Ａ１の隙間を埋めるスペーサ５０を設けている。このスペーサ５０には基端側パーツ４０Ｐａの反射面１２に連続する面５０Ａが設けられており、この面５０Ａが反射性を有し、なおかつ、面５０Ａの形状は、反射面１２がＬＥＤ９の側（すなわちセラミック基板１１の側）に延長したときにできる面と一致している。これにより、面５０Ａによっても反射面１２と同様に配光が制御され、効率向上とともに照度ムラの防止も図られている。
【００４１】
このスペーサ５０は、弾性材の一例たる樹脂材から形成されており、反射体１０が器具本体２にネジ止めされるに伴って、基端部１２Ａによってセラミック基板１１に押し付けられる。これにより、セラミック基板１１と器具本体２の底面２Ａの密着性が高められ、放熱性が高められる。
【００４２】
以上説明したように、本実施形態によれば、反射体１０を反射面１２の基端側と先端側で分離可能にしたため、先端側パーツ４０Ｐｂを取り外して使用したり、或いは、先端側パーツ４０Ｐｂを、異なった反射特性や配光特性を有するものに付け替えたりすることで、反射面１２の配光パターンを任意、かつ簡単に変更可能となる。
さらに、少なくとも基端側パーツ４０Ｐａの先端が器具本体２より突出することから、反射体１０から先端側パーツ４０Ｐｂを取り外して使用した場合であっても、反射体１０の出射光が器具本体２に遮蔽されることがなく器具効率が低下することがない。また、器具本体２が反射体１０を納める深さＴｃを浅くできるから、器具本体２の軽量化も図られる。
【００４３】
また本実施形態によれば、反射体１０の基端側パーツ４０Ｐａと先端側パーツ４０Ｐｂに、挿入穴部４２、及び爪部４４を設けて結合部を構成したため、当該結合部の結合を解除することで、簡単に取り外しや取り替えができる。特に、当該結合部が差し込みによって結合する構造であるため、基端側パーツ４０Ｐａに対する先端側パーツ４０Ｐｂの抜き差しにより簡単に取り外し等ができる。
また、反射面１２同士を連結する連結部４１に結合部を設けることで、複数の反射面１２に対して一度に先端側パーツ４０Ｐｂの抜き差しが可能になる。
【００４４】
また本実施形態によれば、反射体１０の基端側パーツ４０Ｐａと、セラミック基板１１の間にスペーサ５０を設けたため、基端側パーツ４０Ｐａとセラミック基板１１の隙間から漏れる光を防止できる。また反射体１０がセラミック基板１１をスペーサ５０を通じて押圧することで、セラミック基板１１と器具本体２の密着性が高められる。
【００４５】
またスペーサ５０には、基端側パーツ４０Ｐａの反射面１２に連続する面５０Ａを設け、当該面５０Ａの形状を、前記反射面１２をセラミック基板１１の側に延長したときの形状と一致させている。
これにより、面５０Ａによっても反射面１２と同様に配光が制御され、効率の向上とともに照度ムラの防止が図られる。
【００４６】
また本実施形態によれば、反射体１０は、回転軸（中心軸Ｏ）が互いに平行になるように配置された複数の反射面１２を一体に備える構成とした。これにより、複数の反射面１２の先端側パーツ４０Ｐｂを一斉に着脱して配光を変更できる。
【００４７】
また本実施形態によれば、器具本体２の背面において放熱フィン１３の一部が除かれてできた立設スペース１６に、放熱フィン１３との間に隙間をあけて電源ボックス４を支持するためのボス１５Ａ、１５Ｂを立設する構成とした。
この構成によれば、ボス１５Ａ、１５Ｂで電源ボックス４を支持するため、器具本体２の背面のうち、当該電源ボックス４で覆われる箇所にも放熱フィン１３を設けることがでる。
特に、少なくとも１つの放熱フィン１３をボス１５Ａ、１５Ｂに接続する構成としたため、ボス１５Ａ、１５Ｂへの熱溜まりが防止される。
【００４８】
なお、上述した実施形態はあくまでも本発明の一態様を例示するものであって、本発明の趣旨を逸脱しない範囲で任意に変形、及び応用が可能である。
上述した実施形態では、発光素子の一例としてＬＥＤを例示したが、例えば有機ＥＬ等の他の発光素子を用いることもできる。また光源は、発光素子に限定されるものではない。
また、反射体１０として、反射面１２を基端側パーツ４０Ｐａと先端側パーツ４０Ｐｂとの２つに分離可能な構成を例示した。しかしながら、先端側パーツ４０Ｐｂを２つ以上に更に分離可能に構成しても良い。
また、ＬＥＤ照明器具１を傾けて設置する場合、振動や反射体１０の自重により光軸の傾きによる配光のズレが生じ易いため、より安定した配光を得るために器具本体２の正面を覆う前面カバー３の内面を、反射体１０の先端（本実施例では先端側パーツ４０Ｐｂの先端）へ当接させ、前面カバー３で反射体１０を押さえて光軸の傾きを防止する構成としても良い。
【００４９】
また上述した実施形態で説明したＬＥＤ照明器具１は、数十メートル〜百数十メートル離れた照射野を十分な明るさで照らすことができることから、高層の建物を演出する投光器として好適に用いることができる。またＬＥＤ照明器具１を複数並べて配置することで、野球場や競技場など、遠方から広範囲を照明する必要があるスタジアム照明にも好適に用いることができる。
【符号の説明】
【００５０】
１  ＬＥＤ照明器具（照明器具）
２  器具本体
３  前面カバー
３Ａ  平面部
４  電源ボックス
９  ＬＥＤ（光源、発光素子）
１０  反射体
１１  セラミック基板（実装基板）
１２  反射面
１２Ａ  基端部
１２Ｂ  先端部
１２Ａ１  底部開口
１３  放熱フィン
１３Ａ  接続部
１５Ａ、１５Ｂ、２９Ａ、２９Ｂ  ボス
１６  立設スペース
３Ａ１  膨出部
４０Ｐａ  基端側パーツ
４０Ｐｂ  先端側パーツ
４２  挿入穴部（結合部）
４４  爪部（結合部）
５０  スペーサ
５０Ａ  面
Ｏ  中心軸（回転軸）
【図１】
0006004101.tif 000002
【図２】
0006004101.tif 000003
【図３】
0006004101.tif 000004
【図４】
0006004101.tif 000005
【図５】
0006004101.tif 000006
【図６】
0006004101.tif 000007
【図７】
0006004101.tif 000008
【図８】
0006004101.tif 000009
【図９】
0006004101.tif 000010
【図１０】
0006004101.tif 000011
【図１１】
0006004101.tif 000012